(57)【要約】【課題】従来より安定する高次モード励振装置及びその製造方法を提供する。【解決手段】コアとクラッドの等価屈折率差Δが１％以上であり、使用波長による光導波モードがマルチモードである光導波路であって、曲げ半径が２ｍｍ以下であることを特徴とする。また、高次モード励振装置の製造方法においては、高次モード励振装置の所望部分を加熱し、高次モード励振装置の前記部分を加工歪開放状態に移行し、加工歪開放状態に移行した前記高次モード励振装置の前記部分を所定の曲げ半径に曲げ、所定の曲げ半径に曲げた状態で前記高次モード励振装置の前記部分を加工歪状態に移行することを特徴とする。【選択図】図１
2006292740.tif 000002
【特許請求の範囲】
【請求項１】
光ファイバーのコアとクラッドの等価屈折率差Δが１％以上であり、使用波長による光導波モードがマルチモードであり、該光ファイバーの曲げ半径が２ｍｍ以下である光導波路であることを特徴とする、高次モード励振装置。
【請求項２】
前記光導波路は、加熱により曲げ加工された光導波路であることを特徴とする、請求項１に記載の高次モード励振装置。
【請求項３】
前記光導波路は、機械的な力により曲げ加工された光導波路であることを特徴とする、請求項１に記載の高次モード励振装置。
【請求項４】
前記曲げ加工された部分が、高次モード励振装置の曲げ半径を固定する部材に固定されることを特徴とする、請求項２または３に記載の高次モード励振装置。
【請求項５】
前記部材が、直方体であることを特徴とする、請求項２から４のいずれか１項に記載の高次モード励振装置。
【請求項６】
前記部材は、光導波路の接続部品に対する位置決め機構を有することを特徴とする、請求項４又は５に記載の高次モード励振装置。
【請求項７】
前記位置決め機構は、ガイド溝であることを特徴とする、請求項５に記載の高次モード励振装置。
【請求項８】
前記高次モード励振装置の曲げ半径を固定する部材に、複数本の光導波路がアレイ状に並べられ並びに前記位置決め機構を備えた部材に固定されていることを特徴とする請求項１から６のいずれか１項に記載の高次モード励振装置。
【請求項９】
高次モード励振装置の所望部分を加熱し、
前記高次モード励振装置の前記部分の加工歪を開放し、
加工歪を開放した前記部分を所定の曲げ半径に曲げ、
所定の曲げ半径に曲げた状態で前記高次モード励振装置の前記部分を加工して歪を与えることを特徴とする高次モード励振装置の製造方法。
【請求項１０】
前記曲げ半径が、１．５ｍｍから２ｍｍの範囲内であることを特徴とする、請求項９に記載の高次モード励振装置の製造方法。
【発明の詳細な説明】
【技術分野】
【０００１】
本発明は、主に光ファイバの性能を評価する際に使用する高次モード励振装置及びその製造方法に関し、特に従来の高次モード励振装置の小型化及び安定化について改良するものである。
【背景技術】
【０００２】
インターネットを始めとした通信ネットワークが爆発的に普及している。これに伴って、バックボーンと呼ばれる基幹伝送系に一層の高速大容量化の要求が行われるようになっている。大容量化の有効な手法として、異なった波長の光信号を高密度で多重化するＤＷＤＭ（Dense Wavelength Division Multiplexing：高密度波長分割多重通信方式）が利用されている。
【０００３】
高密度波長分割多重通信方式では、光を合分波するＡＷＧ（Arayed Waveguide Grating：アレイ導波路格子）等のように光信号を処理する導波路デバイスが数多く使用される。このような導波路デバイスは、光導波路に光ファイバを接続して光の入力や出力を行うようになっている。
【０００４】
光ファイバ通信では最低次モードのみを伝播するシングルモード光ファイバと多数のモードを伝播することができるマルチモード光ファイバの２種類の光ファイバが使用されている。マルチモード光ファイバは、コア径が大きく、多数の光線の軌跡が存在する。これに対してシングルモード光ファイバの場合には、軌跡が１つ（偏波を考慮すると２つ）である。各モードは異なる伝播速度を持つ。
【０００５】
このためマルチモード光ファイバでは、信号のエネルギーが速度の異なる多数のモードに分散され、受信側で到達時間がばらつくことによって信号に歪みが生じる。シングルモード光ファイバの場合にはこのようなマルチモード分散が存在せず、高品位の情報伝送が可能である。このような理由から、長距離回線には、近赤外線波長である１．３１μｍや１．５５μｍを使用するシングルモード光ファイバが主流である。
【０００６】
一方で、家電製品間の光伝送や音響機器間の光伝送では、８５０ｎｍの波長や４００ｎｍ〜７５０ｎｍの範囲である可視広域の波長で、マルチモード光ファイバやマルチモード光導波路を使用して光伝送が行われつつある。これは、上述したとおりマルチモード光ファイバやマルチモード光導波路のコア径がシングルモード光ファイバやシングルモード光導波路のコア径に比べて大きく、また、マルチモード光ファイバとマルチモード光導波路との接続が、シングルモード光ファイバとシングルモード光導波路との接続より容易であるためである。さらに、これらの波長域におけるレーザダイオードなどの発光素子が非常に安価に供給されていることも要因である。
【０００７】
ところで、上述したシングルモード光ファイバ及びマルチモード光ファイバでは、光がファイバ中を伝播する際に、光ファイバの材料固有の吸収や散乱などによってエネルギーが減衰する。この減衰の度合いは光損失と呼ばれ、光損失を測定することによって光ファイバの性能を評価する方法が知られている。具体的には、非特許文献１に示すとおり、１）カットバック法、２）挿入損失法、３）ＯＴＤＲ法（Optical Time Domain Reflectometry：後方散乱光法）の３種類がある。
【０００８】
ここで、代表的な光ファイバの光損失の測定方法であるカットバック法について図面を参照しながら詳細に説明する。図９は、カットバック法による光ファイバの光損失を測定する概念図である。図９に示す概念図は、光源９と、光源９から出射される光のモードを励振するモード励振装置１１と、一端がモード励振装置１１に接続され、光損失が測定される被測定光ファイバ１２と、被測定光ファイバ１２の他端が接続され、光出力を測定する測定装置１３とから構成される。
【０００９】
カットバック法による光損失の測定手順では、まず、光源９から出射される光がモード励振装置１１によって励振される。励振された光は被測定対象となる光ファイバ１２を伝播し、その光出力が測定装置１３によって測定される。なお、この測定結果をＰ１ｄＢｍとする。
【００１０】
次に、被測定対象となる光ファイバ１２をモード励振装置１１との接続点から約２ｍの位置で切断し、モード励振装置１１と接続されていない側を測定装置１３に接続する。なお、この約２ｍの光ファイバをリファレンス光ファイバという。この状態で、光源から光が出射され、モード励振装置１１によって励振される。さらに光はリファレンス光ファイバを伝播し、光の出力が測定装置１３によって測定される。なお、この測定結果をＰ２ｄＢｍとする。
【００１１】
測定装置１３による切断前後の測定結果により、光損失を測定できる。すなわち、光損失は、（Ｐ２−Ｐ１）／Ｌという計算式で表される。ただし、Ｌは、被測定対象となる光ファイバ長からリファレンス光ファイバ長の差（単位：ｋｍ）である。したがって、カットバック法は、被測定光ファイバの光損失を厳密に測定する必要のある場合に用いられる方法である。
【００１２】
なお、被測定光ファイバがＧＩ（Graded-Index：グレーデッド形）ファイバの場合、定常モードで励振するように励振装置を挿入するが、ＳＭ（Step-Index：ステップ形）ファイバの場合は、高次モードが早期に減衰するため、数ｍのＳＭファイバを励振装置とする。
【００１３】
シングルモード光ファイバの評価では、シングルモード光ファイバとモード励振装置とを接続する際に生じるの困難な位置合わせが正確にできれば、モードが単一であるため上述したような標準化された評価方法（光損失測定方法）によって比較的容易に光損失を測定し、評価できる。
【００１４】
マルチモード光ファイバの評価では、マルチモード光ファイバとモード励振装置とを結合する際の位置合わせが容易ではあるものの、モード数が数百から数万におよび、モード毎に切り分けて評価することは事実上不可能であり、全モードを一様に励振して一括して全体の傾向を評価しているため、その評価結果の再現性は全てのモード励振装置の性能に影響を受け、シングルモードほどには良好でない。なお、モード励振装置、特に帯域測定用ダミーファイバに使用される光ファイバについては、ＳＩファイバとＧＩファイバとを順次組み合わせて接続したＳＧＳ（Step Graded Step）ファイバが標準的な構成として知られている。
【非特許文献１】ＪＩＳ  Ｃ６８２３「光ファイバ損失試験方法」
【非特許文献２】ＪＩＳ  Ｃ６８２４「マルチモード光ファイバ帯域試験方法」
【発明の開示】
【発明が解決しようとする課題】
【００１５】
上述したように、マルチモード光ファイバの評価は、評価結果がモードの影響を受けやすく、モード励振装置の性能を向上する必要がある。具体的には励振されたモードの状態を安定して維持することが必要である。従来のＳＧＳファイバの構成では、そのファイバの長さがメートル単位の長さが必要であり、大型になるという短所と、大型になったことによる外乱の影響、例えばファイバに触れることによる側圧の影響や、ＳＩファイバやＧＩファイバの接続点のずれなどによって、励振されたモードが安定しないことがあった。
【００１６】
また、ＳＧＳファイバの構成をとることで全てのモード励振が達成できたとしても、それ以外の様々なモード励振状態を自由に作り上げることはＳＧＳファイバの構成では困難である。本発明では、以上の問題点に鑑みてなされたものであり、モード励振装置の欠点を解決することにより、従来より安定する高次モード励振装置及びその製造方法を提供する。
【課題を解決するための手段】
【００１７】
本発明に係る高次モード励振装置の第１の態様は、光ファイバーのコアとクラッドの等価屈折率差Δが１％以上であり、使用波長による光導波モードがマルチモードであり、該光ファイバーの曲げ半径が２ｍｍ以下である光導波路であることを特徴とする高次モード励振装置である。
【００１８】
これによって、大型になるという短所と、大型になったことによる外乱の影響、例えばファイバに触れることによる側圧の影響や、ＳＩファイバやＧＩファイバの接続点のずれなどによって、励振されたモードが安定しないという状態が解消される。なお、等価屈折率差とは、コアとなる部分の最大屈折率と、実効的にクラッドとなる部分の屈折率との屈折率差のことをいう。また、光ファイバの屈折率プロファイルは、単峰型プロファイルや、Ｗ型プロファイル等、特に限定されるものではない。
【００１９】
本発明に係る高次モード励振装置の第２の態様は、光導波路は、加熱により曲げ加工された光導波路であることを特徴とする高次モード励振装置である。
【００２０】
本発明に係る高次モード励振装置の第３の態様は、光導波路は、機械的な力により曲げ加工された光導波路であることを特徴とする高次モード励振装置である。
これによって、光導波路がプラスチックファイバなどであれば、機械的な力によって曲げ加工が可能となる。
【００２１】
本発明に係る高次モード励振装置の第４の態様は、曲げ加工された部分が、高次モード励振装置の曲げ半径を固定する部材に固定されることを特徴とする高次モード励振装置である。
これによって、曲げ加工された高次モード励振装置が補強されることとなり、破損などの損害を減らすことが可能となる。
【００２２】
本発明に係る高次モード励振装置の第５の態様は、高次モード励振装置の曲げ半径を固定する部材が直方体であることを特徴とする高次モード励振装置である。
【００２３】
本発明に係る高次モード励振装置の第６の態様は、光導波路の接続部品に対する位置決め機構を有することを特徴とする高次モード励振装置である。
これによって、ＭＴコネクタなどの他の周辺機器と接合が可能となり、高次モード励振装置の使用範囲を拡張することが可能である。
【００２４】
本発明に係る高次モード励振装置の第７の態様は、位置決め機構は、ガイド溝であることを特徴とする高次モード励振装置である。
これによって、ガイドピンを有する周辺機器と接合が可能となり、高次モード励振装置の使用範囲を拡張することが可能である。
【００２５】
本発明に係る高次モード励振装置の第８の態様は、上述した高次モード励振装置の曲げ半径を固定する部材に、複数本の光導波路がアレイ状に並べられ並びに前記位置決め機構を備えた部材に固定されていることを特徴とする高次モード励振装置である。これによって、複数本の光を伝播することが可能である。
【００２６】
本発明に係る高次モード励振装置の製造方法の第１の態様は、高次モード励振装置の所望部分を加熱し、高次モード励振装置の前記部分の加工歪を開放し、加工歪を開放した前記部分を所定の曲げ半径に曲げ、所定の曲げ半径に曲げた状態で前記高次モード励振装置の前記部分を加工して歪を与えることを特徴とする高次モード励振装置の製造方法である。
【００２７】
本発明に係る高次モード励振装置の製造方法の第２の態様は、曲げ半径が、１．５ｍｍから２ｍｍの範囲内であることを特徴とする高次モード励振装置の製造方法である。
【発明の効果】
【００２８】
本発明の高次モード励振装置により、大型になるという短所と、大型になったことによる外乱の影響、例えばファイバに触れることによる側圧の影響や、ＳＩファイバやＧＩファイバとの接続点のずれなどによって、励振されたモードが安定しないことが解消された。
【００２９】
したがって、励振されたモードの状態を安定して維持することができ、マルチモード光ファイバの評価が従来より良好となった。
【００３０】
また、本発明に係る高次モード励振装置により、容易にモード励振装置の端面が所望の位置にくるように位置決めでき、エミッタ面（半導体レーザアレイ等の発光素子に備えられる１以上の発光点）からの出力光をモード励振装置に結合することができる。このようにモード励振装置アレイは、半導体レーザアレイを用いた光部品等に利用することができる。
【発明を実施するための最良の形態】
【００３１】
以下、本発明の実施形態について、図１から図８を参照して、詳細に説明する。
【００３２】
（第１実施形態）
図１は、本発明の第１実施形態における高次モード励振装置を示す斜視図である。図１に示す高次モード励振装置は、コア径が６２．５μｍであり、屈折率差Δが２％である２乗型屈折率分布を持った石英系ＧＩマルチモードファイバである。なお、曲げ半径Ｒは、１．５ｍｍである。この曲げ加工は、高次モード励振装置のガラス部分をガスバーナにより外部から約１３００℃で５秒〜１分間加熱することにより高温（屈曲点以上軟化点以下）にした状態で、約９０度に屈曲させて作成したものである。
【００３３】
この高次モード励振装置の曲げ部分は高温状態で曲げられ、曲げられた状態で常温環境に持っていかれるので、曲げることによる歪はない。すなわち、曲げた状態が初期状態となるように加工したものである。
【００３４】
高次モード励振装置は加工後に加工された状態を曲げ状態とすることで、歪が発生せず破断しないのである。ただし、この曲げ部分を、直線状に戻す場合には歪が発生し、破断に至る。結局は、初期の歪開放状態が直線状態であるか、曲げ状態であるかを選択することで、所望の形を作成する場合の歪による破断を回避することができるのである。
【００３５】
なお、この曲げ加工を行う際に、高次モード励振装置の所望部分を加熱する方法はガスバーナーによる加熱、アーク放電による加熱、炉による加熱など、どんな手段であっても構わず、趣旨は加熱と同時に曲げることで加工歪を開放しながら、曲げ加工することである。
【００３６】
さらに、図１に示す高次モード励振装置の加工前と加工後のモード形態について図２及び図３を参照して詳細に説明する。
【００３７】
図２は、図１に示すモード励振装置の加工前のモードパターンを示す図である。図２に示すとおり、曲げ加工前のモードパターンは、低次モードが励振されたモードパターンであることがわかる。一方、図３は、図１に示すモード励振装置の加工後のモードパターンを示す図である。図３に示すとおり、曲げ加工後の高次モード励振装置は、図２に示すモードパターンと異なり、高次モードが励振された状態となっている。
【００３８】
この高次モード励振状態は、曲げ部分の大きさは数ｍｍ程度と非常に小さい。また、例えばファイバに触れることによる側圧の影響や、ＳＩファイバやＧＩファイバの接続点のずれなどによって励振されたモードが安定しないという外乱の影響を受けにくく、励振されたモードはＳＧＳファイバなどの励振に比較して非常に安定性がよい。
【００３９】
さらに、本発明の高次モード励振装置を使用し、ＪＩＳ  Ｃ６８２４「マルチモード光ファイバ帯域試験方法」による伝送帯域試験について詳細に説明する。
【００４０】
図４は、本発明の高次モード励振装置を使用した伝送帯域測定装置の模式図である。図４に示すとおり、伝送帯域測定装置は、トラッキングジェネレータ１５と、光源９と、高次モード励振装置１と、被測定用光ファイバ２１と、検出器１９とスペクトラムアナライザ１７とから構成される。
【００４１】
光源９に接続されたトラッキングジェネレータ１５は後述するスペクトラムアナライザ１７の掃引周波数に同調した周波数成分をもつ信号を出力する。光源９はトラッキングジェネレータ１５から出力される電気信号を光信号へ変換する変換器（以下、Ｅ／Ｏ変換器という）である。そして、本発明の高次モード励振装置１は、一端が光源９に接続されている。
【００４２】
また、検出器１９は光信号を電気信号に変換する変換器（以下、Ｏ／Ｅ変換器という）であり、その一端がスペクトラムアナライザ１７に接続されている。スペクトラムアナライザ１７は、検出器１９から送信された電気信号を各周波数帯域ごとに振幅を計測・表示する装置である。そして、被測定光ファイバ２１のそれぞれの一端は、上述した本発明の高次モード励振装置１と検出器１９とによって接続されている。
【００４３】
続いて、本発明である高次モード励振装置を使用した伝送帯域試験装置での測定手順について詳細に説明する。
【００４４】
まず、作業者はトラッキングジェネレータ１５からの周波数掃引信号をＥ／Ｏ変換器により光強度変調し、被測定光ファイバ２１に入射する。光ファイバを伝播した後の光の変調信号振幅特性Ａ０をスペクトラムアナライザ１７により測定する。
【００４５】
次に、高次モード励振装置１の近傍で被測定光ファイバ２１を切断し、高次モード励振装置１からの長さを約２ｍの被測定光ファイバ２１とする。そして、切断された側の被測定光ファイバ２１をＯ／Ｅ変換器に接続する。その後、作業者は再度、光ファイバ２１を伝播した後の光の変調信号振幅特性Ａ１をスペクトラムアナライザ１７により測定する。
【００４６】
光の変調信号振幅特性Ａ０とＡ１の差により光ファイバ自身のベースバンド周波数特性αを求める。減衰量αにおいて直流での受信レベルを基準として減衰量が６ｄＢになる周波数を伝送帯域ｆｃｌとする。１ｋｍ長での伝送帯域ｆｃはｆｃ＝ｆｃｌ×Ｌγにより換算し求める。なお、Ｌは光ファイバ長であり、γは距離換算係数である。
【００４７】
上述した伝送帯域測定装置において、本発明の高次モード励振装置を使用した結果、励振されたモードの状態を安定して維持することができ、マルチモード光ファイバの評価が従来より良好となった。
【００４８】
（第２実施形態）
図５は、本発明の第２実施形態における高次モード励振装置を示す斜視図である。なお、図１に示されるモード励振装置の各部と同様の構成には同一符号を付し、その説明を省略する。
【００４９】
図５に示す高次モード励振装置１は、高次モード励振装置１の曲げ半径を変化させないようにするため、固定部材３に固定するものである。固定部材３は、樹脂などで形成される直方体の形状を有する固定部材３を使用する。また、固定部材３の長手方向の概ね中心部であって、その角部に高次モード励振装置１を配置するための溝部５が形成される。
【００５０】
本発明である高次モード励振装置１は、溝部５の形状に沿うように当該溝部５に収容される。収容後、当該溝部５に接着剤などを流しこみ、高次モード励振装置１が固定部材３と分離しないように、また、溝部５の中で高次モード励振装置１が位置ずれしないように固定化する。
【００５１】
なお、図５に示す高次モード励振装置１の特性は、第１実施形態に示す高次モード励振装置と同様、コア径が６２．５μｍであり、コアとクラッドとの屈折率差Δが２％である２乗型屈折率分布を持った石英系ＧＩマルチモードファイバである。また、高次モード励振装置１の曲げ半径Ｒは、１．５ｍｍである。
【００５２】
本実施形態により、高次モード励振装置１の曲げ部を固定部材３の溝部５へ収納すること、および高次モード励振装置１の曲げ部を固定部材３に固定化することにより第１実施形態と比較して、安定化を図ることが実現できた。また、図３に示すとおり、曲げ加工後の高次モード励振装置は、曲げがない状態のモードパターンと異なり、高次モードが励振された状態となっている。
【００５３】
本実施形態においても、高次モード励振状態は、曲げ部分の大きさが数ｍｍ程度と非常に小さい。また、例えばファイバに触れることによる側圧の影響や、ＳＩファイバやＧＩファイバの接続点のずれなどによって励振されたモードが安定しないという外乱の影響を受けにくく、励振されたモードはＳＧＳファイバなどの励振に比較して非常に安定性がよい。
【００５４】
（第３実施形態）
図６は、本発明の第３実施形態におけるモード励振装置を示す斜視図である。なお、図５に示されるモード励振装置の各部と同様の構成には同一符号を付し、その説明を省略する。
【００５５】
図６に示すモード励振装置２は、第２実施形態と同様に溝部５の形状に沿うように当該溝部５に収容される。収容後、当該溝部５に接着剤などを流しこみ、高次モード励振装置２が固定部材３と分離しないように、また、溝部５の中で高次モード励振装置２がずれないように固定化する。
【００５６】
なお、図５に示す高次モード励振装置２の特性は、第１実施形態に示す高次モード励振装置１の特性と異なり、コア径が１２０μｍであり、コアとクラッドとの屈折率差Δが２％である有機材料を用いたプラスチックファイバである。また、高次モード励振装置２の曲げ半径Ｒは、２ｍｍである。
【００５７】
プラスチックファイバは、同一の構造を有する石英系のファイバと比較して、製造および加工が容易であること及び低価格であること等の利点があり、近年、光ファイバ及び光レンズなどの種々の応用が試みられている。なかでも、プラスチック光ファイバは、素線が全てプラスチックで構成されているため、伝送損失が石英系と比較してやや大きいという短所を有するものの、良好な可撓性を有し、軽量で加工性に優れるため、石英系光ファイバと比較して口径の大きなファイバを製造しやすい。さらに、低コストに製造可能である長所を有する。従って、伝送損失の大きさが問題とならない程度の短距離用の光通信伝送媒体として種々検討されている。
【００５８】
プラスチック光ファイバは、ポリマーなどからなるコアと、コアより低屈折率のポリマーなどからなるクラッドとから形成された光ファイバ母材（以下、プリフォームと称する）を引き伸ばすことにより製造される。特に、中心から外側に向かって屈折率の分布を有するコアを備えたＧＩ型ファイバは、伝送する光信号の帯域を大きくすることが可能なため、高い伝送容量を有する。このようなプラスチック光ファイバの製造方法は、クラッドを回転重合法により製造し、その中にコアを形成する。
【００５９】
上述したプラスチック光ファイバの原料プラスチックには、ポリメタクリル酸エステルの一種であるポリメタクリル酸メチル（以下、ＰＭＭＡと称する）がよく用いられている。ＰＭＭＡは、有機系ポリマーのなかでは優れた透明性と低屈折率とを有するなど、極めて光学特性に優れた材料であるからである。その特徴として（１）透明性に優れている、（２）複屈折率が低い、（３）耐候性に優れている、（４）成形性に優れている、（５）バランスした力学的特性を有する、などが挙げられる。
【００６０】
本実施形態では、石英系ＧＩマルチモードファイバの代わりにプラスチックファイバを用いたことで、第１実施形態及び第２実施形態のように高次モード励振装置を曲げ加工する際に、ガスバーナなどによる熱加工を必要としない。したがって、プラスチックファイバであれば、機械的に曲げることが可能である。
【００６１】
（第４実施形態）
図７は、本発明の第４実施形態における高次モード励振装置を示す斜視図である。なお、図５に示される高次モード励振装置の各部と同様の構成には同一符号を付し、その説明を省略する。
【００６２】
図７に示す高次モード励振装置は、第２実施形態と同様、高次モード励振装置１の曲げ径が変化しないようにするため、固定部材３に固定するものである。固定部材３は、樹脂などで形成される直方体の形状を有する固定部材３を使用し、当該固定部材３の長手方向の概ね中心部であって、その角部には所定の深さを有し、高次モード励振装置１を収容する溝部５が配置される。
【００６３】
本実施形態では、高次モード励振装置１の曲げ方向が、溝部５の開口部と反対方向に向けて固定部材３の溝部５に収容される。すなわち、収容された高次モード励振装置１のうち、曲げ方向に伸びる部分が固定部材の所定の面を突き抜けると、当該部分はその面に沿って切断される。
【００６４】
この時、切断した面を０度として、研磨面は約４度の傾きを持たせて研磨する。この傾きは、相対向する接続部品をガイド溝によって位置決めして接続した場合に、接続部での光パワーの反射減衰量を低減させるためである。収容後、当該溝部５に接着剤などを流しこみ、高次モード励振装置１が固定部材３と分離しないように、また、溝部５の中で高次モード励振装置１がずれないように固定化する。
【００６５】
さらに、固定部材３の前記所定の面に２つのガイド溝７を有する。ガイド溝７は高次モード励振装置１の曲げ方向の切断面を挟むように同一の面に配置される。このガイド溝７は、一般のＭＴコネクタなどのガイドピンが挿入される円形の溝であり、当該ガイド溝７を設けることによって、ガイドピンを有する周辺機器との接続が可能となる。
【００６６】
なお、図７に示す高次モード励振装置１の特性は、第１実施形態に示す高次モード励振装置と同様、コア径が６２．５μｍであり、コアとクラッドとの屈折率差Δが２％である２乗型屈折率分布を持った石英系ＧＩマルチモードファイバである。また、高次モード励振装置１の曲げ半径Ｒは、１．５ｍｍである。
【００６７】
本実施形態では、高次モード励振装置１にガイド溝７を設けることで、ＭＴコネクタなどと接続が可能となる。
【００６８】
（第５実施形態）
図８は、本発明の第５実施形態における高次モード励振装置を示す斜視図である。図５に示される高次モード励振装置の各部と同様の構成には同一符号を付し、その説明を省略する。
【００６９】
図８に示す高次モード励振装置は、第４実施形態と同様、高次モード励振装置１の曲げ径が変化しないようにするため、固定部材３に固定するものである。固定部材３は、樹脂などで形成される直方体の形状を有する固定部材３を使用し、固定部材３の長手方向の概ね中心部であって、その角部に所定の深さを有する４つの溝部５が並んで配置される。すなわち、高次モード励振装置がアレイ化されたものである。
【００７０】
本実施形態では、高次モード励振装置１の曲げ方向が、所定の間隔で設けられた４つの溝部５の開口部と反対方向に向けて固定部材３の溝部５に収容される。すなわち、収容された高次モード励振装置１のうち、曲げ方向に伸びる部分が固定部材３の所定の面を突き抜けると、当該部分はその面に沿って切断される。なお、当該溝部５は４つに限定されることはなく、１つ以上の溝部５が設けられていればよい。
【００７１】
例えば、１以上の発光点（以下、エミッタ面とも言う。）を有する半導体レーザアレイ等の発光素子の各エミッタ面に高次モード励振装置１の端面が対向するように高次モード励振装置１が配置された構成の半導体レーザアレイモジュールにおいて、エミッタ間隔と等しい間隔を配して位置決め溝が設けられ、この位置決め溝に光ファイバが収容、固定された高次モード励振装置アレイが用いられる。
【００７２】
この時、第４実施形態と同様、切断した面を０度として、研磨面は約４度の傾きを持たせて研磨する。この傾きは、相対向する接続部品をガイド溝７によって位置決めして接続した場合に、接続部での光パワーの反射減衰量を低減させるためである。収容後、当該溝部５に接着剤を流しこみ、高次モード励振装置１が固定部材３と分離しないように、また、溝部５の中で高次モード励振装置１がずれないように固定化する。
【００７３】
さらに、固定部材３の前記所定の面に２つのガイド溝７を有する。ガイド溝７は、高次モード励振装置１の曲げ方向の切断部を挟むように配置される。このガイド溝７は、一般のＭＴコネクタなどのガイドピンが挿入される溝である。
【００７４】
本実施形態では、１本の石英系マルチモードファイバを固定部材３に固定した第４実施形態に対し、４本の石英系マルチモードファイバをアレイ状に固定部材３に固定する実施形態である。４本の石英系マルチモードファイバは、外側からコア径が５０μｍであり、コアとクラッドとの屈折率差Δが１．５％の２乗型屈折率分布を持った石英系マルチモードファイバと、コア径が５０μｍであり、屈折率差Δが２％の２乗型屈折率分布を持った石英系マルチモードファイバと、コア径が６２．５μｍであり、屈折率差Δが１．５％の２乗型屈折率分布を持った石英系マルチモードファイバと、コア径が６２．５μｍであり、屈折率差Δが２％である２乗型屈折率分布を持った石英系ＧＩマルチモードファイバである。また、高次モード励振装置１の曲げ半径Ｒは４本ともすべてが、１．５ｍｍである。したがって、一括した４種類のモード励振状態を入射できるコネクタとなっている。
【００７５】
なお、コアとクラッドとの屈折率差Δを１％以上と規定したのは、１％以下では曲げ加工による光のエネルギー損失が大きく、高次モード励振されても光パワーが小さくなり、評価に使えなくなる可能性がある為であり、曲げ径を２ｍｍ以下としたのは、効率良く高次モードを励振させるためには２ｍｍ以下の小さな曲げ部分が必要であるためである。
【００７６】
また、第５実施形態では、コアとクラッドとの屈折率差Δと高次モード励振装置の曲げ径の幾つかの組み合わせだけを取り上げているが、この範囲の組み合わせであれば本発明の目標を達成できる。コア径も代表的な５０μｍ、６２．５μｍ、１２０μｍという３種類を取り上げたが、コア径は使用する導波路により適宜選択されるものであり、これらの３つに限定されるものではない。また、高次モード励振装置１の数についても限定されるものではない。
【００７７】
高次モード励振装置アレイを用いることによって、容易に高次モード励振装置の端面が所望の位置にくるように位置決めでき、エミッタ面からの出力光をモード励振装置に結合することができる。このように高次モード励振装置アレイは、半導体レーザアレイを用いた光部品等に利用することができる
【００７８】
さらに、本発明は、上述した実施形態に限定されるものではなく、その要旨を逸脱しない範囲内で種々変形して実施することが可能である。例えば、第１実施形態で説明したＪＩＳ  Ｃ６８２４「マルチモード光ファイバ帯域試験方法」による帯域試験は、第２実施形態から第５実施形態においても実施することが可能である。
【産業上の利用可能性】
【００７９】
本発明の高次モード励振装置により、高次モード励振装置が大型になるという短所と、大型になったことによる外乱の影響、例えば光ファイバに触れることによる側圧の影響や、ＳＩファイバやＧＩファイバとの接続点のずれなどによって、励振されたモードが安定しないことが解消することが可能となる。
【００８０】
さらに、高次モード励振装置を発明することにより、容易にモード励振装置の端面が所望の位置にくるように位置決めでき、エミッタ面からの出力光をモード励振装置に結合することができる。このようにモード励振装置アレイは、半導体レーザアレイを用いた光部品等に利用することができ、産業上の利用可能性が高い。
【図面の簡単な説明】
【００８１】
【図１】図１は、第１実施形態における高次モード励振装置を示す概念図である。
【図２】図２は、図１に示す高次モード励振装置の加工前のモードパターンを示す図である。
【図３】図３は、図１に示す高次モード励振装置の加工後のモードパターンを示す図である。
【図４】図４は、伝送帯域測定装置の模式図である。
【図５】図５は、第２実施形態における高次モード励振装置を示す概念図である。
【図６】図６は、第３実施形態における高次モード励振装置を示す概念図である。
【図７】図７は、第４実施形態における高次モード励振装置を示す概念図である。
【図８】図８は、第５実施形態における高次モード励振装置を示す概念図である。
【図９】図９は、カットバック法により光ファイバを光損失を測定する概念図である。
【符号の説明】
【００８２】
１、２、１１  高次モード励振装置
３  固定部材
５  溝部
７  ガイド溝
９  光源
１２、２１  被測定光ファイバ
１３  測定装置
１５  トラッキングジェネレータ
１７  スペクトラムアナライザ
１９  検出器
【図１】
2006292740.tif 000003
【図２】
2006292740.tif 000004
【図３】
2006292740.tif 000005
【図４】
2006292740.tif 000006
【図５】
2006292740.tif 000007
【図６】
2006292740.tif 000008
【図７】
2006292740.tif 000009
【図８】
2006292740.tif 000010
【図９】
2006292740.tif 000011